(57)【要約】【課題】内部に収容している履物等が見え易く、湿気やニオイがこもり難いシューズラックを提供する。【解決手段】シューズラック１に、一対の側壁１１、夫々の側壁１１の内側面に形成されている前ダボ孔１５、中ダボ孔１６、及び後ダボ孔１７を有しているラック本体１０と、前ダボ孔１５に取付けられている前ダボ２０と、中ダボ孔１６又は後ダボ孔１７に取付けられている後ダボ２５と、前ダボ２０と後ダボ２５とに載置されている棚部材３０とを具備させ、棚部材３０に、前ダボ２０と後ダボ２５とに跨って載置されている一対の側板３１と、一対の側板３１同士を連結している一対の第一シャフト３２と、一対の側板３１同士を連結している第二シャフト３３と、を備え、前ダボ２０に、側板３１の前方を向いている端面に当接しているフック２４を、備えさせる。【選択図】図１
2018027167.tif 000002
【特許請求の範囲】
【請求項１】
互いに間隔をあけて対向している一対の側壁、一対の該側壁の互いに対向している内側面の夫々において同じ高さで前後方向へ互いに離隔して形成されている前ダボ孔、中ダボ孔、及び後ダボ孔を、有しており、前記前ダボ孔、前記中ダボ孔、及び前記後ダボ孔が、夫々上下方向へ一定の間隔で複数形成されているラック本体と、
一対の前記側壁の夫々において同じ高さの前記前ダボ孔に夫々取付けられており、前記ラック本体内に突出している一対の前ダボと、
一対の前記側壁の夫々において同じ高さの前記中ダボ孔又は前記後ダボ孔に夫々取付けられており、前記ラック本体内に突出している一対の後ダボと、
前記一対の前ダボと前記一対の後ダボとに載置されている棚部材と
を具備しており、
該棚部材は、
同じ高さの前記前ダボ孔と前記後ダボ孔とに跨る長さで前記側壁に沿って夫々前後方向へ平板状に延びており、前記前ダボと前記後ダボとに跨って載置されている一対の側板と、
一対の該側板の長手方向を水平にした状態で、夫々が同じ高さで前後方向へ離隔しており、一対の前記側板同士を連結している一対の第一シャフトと、
一対の前記側板の長手方向を水平にした状態で、一対の前記第一シャフトよりも下方で、且つ、一対の該第一シャフトの間における一方の該第一シャフトに近い部位で、一対の前記側板同士を連結している第二シャフトと
を備えており、
前記一対の前ダボは、
前記側板の前方を向いている端面に当接しているフックを夫々備えている
ことを特徴とするシューズラック。
【発明の詳細な説明】
【技術分野】
【０００１】
本発明は、履物の収容するシューズラックに関するものである。
【背景技術】
【０００２】
履物を収容するシューズラックとして、前側が開閉可能に形成されている箱状のラック本体と、ラック本体の内部を上下方向へ複数の空間に仕切る複数の棚板と、を備え、複数の棚板により仕切られた空間内に履物を収容するようにしたものが知られている。
【０００３】
しかしながら、従来のシューズラックは、ラック本体の内部を仕切っている棚板が、水平に取付けられているため、棚板に履物を載置すると、ラック本体の前方からは、履物の前方を向いている前端部分しか見えなかった。また、棚板が平板状であることから、棚板によって光が遮られてしまい、ラック本体の内部が暗いものとなっていた。
【０００４】
従って、ラック本体の内部が暗く、履物のごく一部しか見えないため、シューズラックから所望の履物を取出したい時に、一つずつ取出して確認する必要があり、所望の履物を即座に見つけることができなかった。また、前方から、シューズラックに収容されている履物が見え辛いため、どのような履物を収容しているかが判り辛かった。
【０００５】
また、ラック本体の内部を仕切っている複数の棚板が、平板状であるため、ラック本体の内部の通気性が悪く、湿気やニオイがこもり易いと共に、ラック本体の内部や収容されている履物等において、カビや雑菌等が繁殖し易くなる問題があった。
【発明の概要】
【発明が解決しようとする課題】
【０００６】
そこで、本発明は、上記の実情に鑑み、内部に収容している履物等が見え易く、湿気やニオイがこもり難いシューズラックの提供を課題とするものである。
【課題を解決するための手段】
【０００７】
上記の課題を解決するために、本発明に係るシューズラックは、「互いに間隔をあけて対向している一対の側壁、一対の該側壁の互いに対向している内側面の夫々において同じ高さで前後方向へ互いに離隔して形成されている前ダボ孔、中ダボ孔、及び後ダボ孔を、有しており、前記前ダボ孔、前記中ダボ孔、及び前記後ダボ孔が、夫々上下方向へ一定の間隔で複数形成されているラック本体と、一対の前記側壁の夫々において同じ高さの前記前ダボ孔に夫々取付けられており、前記ラック本体内に突出している一対の前ダボと、一対の前記側壁の夫々において同じ高さの前記中ダボ孔又は前記後ダボ孔に夫々取付けられており、前記ラック本体内に突出している一対の後ダボと、前記一対の前ダボと前記一対の後ダボとに載置されている棚部材とを具備しており、該棚部材は、同じ高さの前記前ダボ孔と前記後ダボ孔とに跨る長さで前記側壁に沿って夫々前後方向へ平板状に延びており、前記前ダボと前記後ダボとに跨って載置されている一対の側板と、一対の該側板の長手方向を水平にした状態で、夫々が同じ高さで前後方向へ離隔しており、一対の前記側板同士を連結している一対の第一シャフトと、一対の前記側板の長手方向を水平にした状態で、一対の前記第一シャフトよりも下方で、且つ、一対の該第一シャフトの間における一方の該第一シャフトに近い部位で、一対の前記側板同士を連結している第二シャフトとを備えており、前記一対の前ダボは、前記側板の前方を向いている端面に当接しているフックを夫々備えている」ことを特徴とする。
【０００８】
ここで、「ラック本体」としては、一対の側壁を有しているものであれば良く、「一対の側壁同士を連結している底壁、天壁、後壁の少なくとも一つを有しているもの」、「前側が開放されている箱状のもの」、「前側に開閉可能な扉を有しているもの」、を例示することができる。
【０００９】
本構成によれば、棚部材において、一対の第一シャフトに跨るように、或いは、第二シャフトから遠い第一シャフトと第二シャフトとに跨るように、履物を載置することで、履物をラック本体の内部に収容することができる。また、一対の第一シャフトと第二シャフトの三つのシャフトが互いに離隔しているため、例えば、何れかのシャフトにハイヒールや靴の踵の部分を係止させたり、シャフト同士の間にブーツや長靴の上部を挿入したり、シャフトにハンガーや傘等を引っ掛けたりすることができ、ラック本体の内部に様々な物を収容することができる。
【００１０】
また、ラック本体の内部を仕切る棚部材において、履物等が載置される部位を、上述したように互いに離隔している三つのシャフトで構成しているため、各シャフト同士の間に隙間を有しており、それらの隙間を通して、光が差し込み易くなる。そして、各シャフト同士の間からラック本体の内部に光が差し込むことで、従来よりもラック本体の内部が明るくなり、収容されている履物等が見え易いものとすることができる。
【００１１】
更に、上述したように、各シャフト同士の間に隙間を有していることから、各シャフト同士の間を通って空気が流通し易くなるため、空気が流通することで、ラック本体の内部において湿気やニオイをこもり難いものとすることができ、ラック本体の内部や収容されている履物等において、カビや雑菌等の繁殖を抑制させることができる。また、各シャフト同士の間を通って空気が流通することで、濡れた履物等を収容しても、乾き易いものとすることができる。
【００１２】
また、ラック本体では前ダボ孔と後ダボ孔との間に、中ダボ孔を備えていると共に、棚部材では一対の側板の前後方向の長さを同じ高さの前ダボ孔と後ダボ孔とに跨る長さとしているため、蓋然的に、中ダボ孔に後ダボを取付けても、前ダボと後ダボとに棚部材の側板を載置することができる。そして、前ダボ孔から高さの異なる中ダボ孔までの距離が、側板の前後方向の長さの範囲内であれば、前ダボ孔に取付けた前ダボと、高さの異なる中ダボ孔に取付けた後ダボとに跨って、棚部材の側板を載置することができる。これにより、互いに高さの異なる前ダボと後ダボとに、側板を載置することで、棚部材を斜めにした状態で取付けることができる。この際に、棚部材を斜めにしても、前ダボのフックが側板の前方を向いている端面に当接しているため、棚部材の前方への脱落を防止することができる。従って、棚部材を斜めに取付けることができることから、斜めにした棚部材に、履物等を載置することによって、履物等の上面側が前方を向くこととなり、履物等の全体を前方から見え易いものとすることができる。
【００１３】
このようなことから、ラック本体の内部を明るくすることができると共に、内部に収容されている履物等を見え易いものとすることができるため、シューズラックから所望の履物を取出したい時に、所望の履物等を即座に見つけることができる。また、収容されている履物等が見え易いことから、どのような履物等を収容しているのかを判り易いものとすることができると共に、棚部材を用いて履物等を様々な角度や向きで収容させることができるため、履物等のディスプレイ用の棚としても用いることができる。
【発明の効果】
【００１４】
以上のように、本発明の効果として、内部に収容している履物等が見え易く、湿気やニオイがこもり難いシューズラックを提供することができる。
【図面の簡単な説明】
【００１５】
【図１】本発明の一実施形態であるシューズラックを幅方向中央で切断して上下方向の一部を省略して示す断面図である。
【図２】（ａ）は図１のシューズラックに備えられている前ダボの側面図であり、（ｂ）は後ダボの側面図である。
【図３】（ａ）は図１のシューズラックの棚部材を幅方向中央で切断した断面図であり、（ｂ）は棚部材の斜視図である。
【図４】棚部材を水平にして取付けている状態を示す説明図である。
【図５】棚部材を傾斜させて取付けている状態を示す説明図である。
【発明を実施するための形態】
【００１６】
本発明の一実施形態であるシューズラック１について、図１乃至図５を参照して詳細に説明する。本実施形態のシューズラック１は、前側が開放されている箱状のラック本体１０と、ラック本体１０の内部に取付けられている夫々複数の前ダボ２０及び後ダボ２５と、一対の同じ高さの前ダボ２０と一対の同じ高さの後ダボ２５とに跨るように載置されている棚部材３０と、を備えている。
【００１７】
ラック本体１０は、平板状で互いに間隔をあけて対向している一対の側壁１１と、一対の側壁１１の下端同士を連結している平板状の底壁１２と、一対の側壁１１の上端同士を連結している平板状の天壁１３と、一対の側壁１１の後端同士を連結している平板状の後壁１４と、を備えている（図１を参照）。
【００１８】
また、ラック本体１０は、一対の側壁１１の互いに対向している内側面の夫々において、同じ高さで前後方向へ互いに離隔して形成されている前ダボ孔１５、中ダボ孔１６、及び後ダボ孔１７を、備えている。これら前ダボ孔１５、中ダボ孔１６、及び後ダボ孔１７は、夫々上下方向へ一定の間隔で複数、備えられている。また、前ダボ孔１５、中ダボ孔１６、及び後ダボ孔１７は、何れも内径及び深さが同じ寸法の止り孔である。
【００１９】
前ダボ２０は、図２に示すように、前ダボ孔１５の内径と同じ外径の円柱状のダボ部２１と、ダボ部２１の先端に形成されており、ダボ部２１と同軸上でダボ部２１よりも大きい外径の円柱状の基部２２と、上面が基部２２の接線と同一上で、基部２２から軸方向に対して直交する方向へ延びている載置部２３と、載置部２３の先端から上方へ直角に延びていると共に、上端が載置部２３の上方側へ屈曲しているフック２４と、を備えている。
【００２０】
なお、図２（ａ）に示す前ダボ２０は、ラック本体１０の正面視において右側の側壁１１の前ダボ孔１５に取付けられるものであり、ダボ部２１が基部２２に対して紙面の奥側に位置している。一方、左側の側壁１１の前ダボ孔１５に取付けられる前ダボ２０は、図示は省略するが、図２（ａ）の状態で、ダボ部２１が基部２２に対して紙面の手前側に位置している。
【００２１】
後ダボ２５は、中ダボ孔１６及び後ダボ孔１７の内径と同じ外径の円柱状のダボ部２６と、ダボ部２６の先端に形成されており、ダボ部２６と同軸上でダボ部２６よりも大きい外径の円柱状の載置部２７と、を備えている。後ダボ２５のダボ部２６の外径は、前ダボ２０のダボ部２１の外径と同じである。また、後ダボ２５の載置部２３の外径は、前ダボ２０の基部２２の外径と同じである。
【００２２】
前ダボ２０、及び後ダボ２５は、夫々のダボ部２１、及びダボ部２６を、前ダボ孔１５等に挿入することで、ラック本体１０に取付けられる。
【００２３】
棚部材３０は、図３に示すように、前後方向へ平板状に延びており、互いに離隔している一対の側板３１と、一対の側板３１の長手方向を水平にした状態で、夫々が同じ高さで前後方向へ離隔しており、一対の側板３１同士を連結している一対の第一シャフト３２と、一対の側板３１の長手方向を水平にした状態で、一対の第一シャフト３２よりも下方で、且つ、一対の第一シャフト３２の間における一方の第一シャフト３２に近い部位で、一対の側板３１同士を連結している第二シャフト３３と、を備えている。また、棚部材３０は、側板３１の長手方向の両方の端面に夫々形成されており、板厚の方向に貫通するように切欠かれている溝部３４を、更に備えている。
【００２４】
側板３１は、前後方向の長さが、前ダボ孔１５と後ダボ孔１７とに跨る長さよりも長く、ラック本体１０の内部の前後方向の長さより短い。一対の第一シャフト３２及び第二シャフト３３は、夫々同じ外径である。一対の第一シャフト３２及び第二シャフト３３の両端は、夫々側板３１内に埋め込まれている。また、一対の第一シャフト３２及び第二シャフト３３の長さは、棚部材３０に組立てた時に、棚部材３０の幅が、ラック本体１０の内部の幅に対して１ｍｍ〜５ｍｍほど短くなる長さである。
【００２５】
溝部３４は、側板３１の下面を前ダボ２０の載置部２３に載置した時に、フック２４の上端の屈曲している部位と対応する位置に形成されており、フック２４の上端の屈曲している部位が挿入される。
【００２６】
本実施形態では、ラック本体１０の内部の前後方向の寸法（奥行き）が、３００ｍｍであり、内部の幅方向の寸法が２００ｍｍ〜２０００ｍｍである。ラック本体１０の前端から前ダボ孔１５の中心までの寸法が７０ｍｍ、前ダボ孔１５と中ダボ孔１６との中心間の寸法が１１０ｍｍであり、中ダボ孔１６と後ダボ孔１７との中心間の寸法が７０ｍｍである。前ダボ孔１５、中ダボ孔１６、及び後ダボ孔１７の夫々において、上下方向へ一定の間隔で離隔している中心間の寸法（ピッチ）は、２０ｍｍ〜５０ｍｍである。また、前ダボ孔１５、中ダボ孔１６、及び後ダボ孔１７の内径は、５ｍｍである。
【００２７】
また、棚部材３０の側板３１は、前後方向の長さが２５０ｍｍ、高さが６０ｍｍ、厚さが１５ｍｍである。一対の第一シャフト３２は、側板３１の底辺から中心までの寸法が４５ｍｍ、側板３１の前後方向の一方の端部（図３（ａ）において左側の端部）から近い側の第一シャフト３２の中心までの寸法が６０ｍｍ、互いの中心間の寸法が１５０ｍｍ、である。また、第二シャフト３３は、側板３１の底辺から中心までの寸法が１５ｍｍ、側板３１の前後方向の一方の端部（図３（ａ）において左側の端部）から中心までの寸法が９０ｍｍである。ラック本体１０及び側板３１は、木材により形成されている。一対の第一シャフト３２及び第二シャフト３３は、外径が１０ｍｍのアルミパイプである。
【００２８】
続いて、本実施形態のシューズラック１の使用方法について説明する。ラック本体１０の内部に、棚部材３０を水平な状態で取付ける場合は、一対の側壁１１の夫々において、同じ高さの前ダボ孔１５に、フック２４を前側にした前ダボ２０のダボ部２１を挿入して、前ダボ２０を取付ける。また、後ダボ２５は、一対の側壁１１の夫々において、前ダボ２０を取付けた前ダボ孔１５と同じ高さの後ダボ孔１７に、夫々後ダボ２５のダボ部２６を挿入して取付ける。
【００２９】
そして、ラック本体１０の内部において、一対の前ダボ２０及び一対の後ダボ２５の上方に、棚部材３０を挿入した後に、棚部材３０を下降させて、一対の側板３１の底面を、前ダボ２０の載置部２３と後ダボ２５の載置部２７とに載置する。棚部材３０をラック本体１０の内部に挿入する際に、一対の第一シャフト３２のうち、第二シャフト３３に近い第一シャフト３２が、後側となるように棚部材３０を向ける。そして、前ダボ２０のフック２４を、側板３１の前方を向いている端面に当接させると共に、フック２４の上端の後方へ屈曲している部位を、溝部３４に挿入する。
【００３０】
これにより、ラック本体１０の内部に、棚部材３０を、水平な状態で取付けることができる（図４を参照）。この状態では、側板３１の後側の端部が、後壁１４に当接しており、前ダボ２０のフック２４と後壁１４とで側板３１が、前後に挟まれているため、棚部材３０が前後方向へ移動して脱落することはない。そして、この状態で、履物２として靴２ａを、例えば、一対の第一シャフト３２に跨るように、或いは、前側の第一シャフト３２と第二シャフト３３とに跨るように、載置することで、ラック本体１０の内部に履物２を収容することができる。なお、棚部材３０は、前後の向きを上記とは逆向きにして取付けても良い。
【００３１】
一方、ラック本体１０の内部に、棚部材３０を斜めにした状態で取付ける場合は、一対の側壁１１の夫々において、同じ高さの前ダボ孔１５に、フック２４を前側にした前ダボ２０を取付ける。続いて、一対の側壁１１の夫々において、前ダボ２０を取付けた前ダボ孔１５よりも高い位置の中ダボ孔１６に、後ダボ２５を取付ける。そして、一対の第一シャフト３２のうち、第二シャフト３３に近い第一シャフト３２が、前側となるように向けた棚部材３０を、ラック本体１０の内部において、一対の前ダボ２０及び一対の後ダボ２５の上方に挿入する。ラック本体１０の内部に棚部材３０を挿入する前に、前ダボ２０において、前後方向に延びている載置部２３を、フック２４側が基部２２よりも下方となるように傾斜させておくことが望ましい。
【００３２】
その後、棚部材３０を下降させて、一対の側板３１の底面を、前ダボ２０の載置部２３と後ダボ２５の載置部２７とに載置すると共に、側板３１の前方を向いている端面をフック２４に当接させてフック２４の上端の後方へ屈曲している部位を溝部３４に挿入させる。
【００３３】
これにより、ラック本体１０の内部に、棚部材３０を、前側が低くなるように斜めにした状態で取付けることができる（図５を参照）。この状態では、斜めになって低くなっている側板３１の前側の端部に、前ダボ２０のフック２４が当接しており、棚部材３０が前方へ脱落することはない。そして、この状態で、履物２としてハイヒール２ｂを、例えば、後側の第一シャフト３２に、踵の部分を係止させることで、ラック本体１０の内部に履物２を収容することができる。なお、棚部材３０は、前後の向きを上記とは逆向きにして取付けても良い。
【００３４】
このように、本実施形態のシューズラック１によれば、棚部材３０において、一対の第一シャフト３２に跨るように、或いは、第二シャフト３３から遠い第一シャフト３２と第二シャフト３３とに跨るように、履物２を載置することで、履物２をラック本体１０の内部に収容することができる。また、一対の第一シャフト３２と第二シャフト３３の三つのシャフトが互いに離隔しているため、例えば、何れかのシャフトにハイヒール２ｂや靴２ａの踵の部分を係止させたり、シャフト同士の間にブーツや長靴の上部を挿入したり、シャフトにハンガーや傘等を引っ掛けたりすることができ、ラック本体１０の内部に様々な物を収容することができる。また、シャフトとしているため、靴２ａやハイヒール２ｂの踵を掛け易い。
【００３５】
また、ラック本体１０の内部を仕切る棚部材３０において、履物２等が載置される部位を、上述したように互いに離隔している三つのシャフトで構成しているため、各シャフト同士の間に隙間を有しており、それらの隙間を通して、光が差し込み易くなる。そして、各シャフト同士の間からラック本体１０の内部に光が差し込むことで、従来よりもラック本体１０の内部が明るくなり、収容されている履物２等が見え易いものとすることができる。
【００３６】
更に、上述したように、各シャフト同士の間に隙間を有していることから、各シャフト同士の間を通って空気が流通し易くなるため、空気が流通することで、ラック本体１０の内部において湿気やニオイをこもり難いものとすることができ、ラック本体１０の内部や収容されている履物２等において、カビや雑菌等の繁殖を抑制させることができる。また、各シャフト同士の間を通って空気が流通することで、濡れた履物２等を収容しても、乾き易いものとすることができる。
【００３７】
また、ラック本体１０では前ダボ孔１５と後ダボ孔１７との間に、中ダボ孔１６を備えていると共に、棚部材３０では一対の側板３１の前後方向の長さを同じ高さの前ダボ孔１５と後ダボ孔１７とに跨る長さとしているため、蓋然的に、中ダボ孔１６に後ダボ２５を取付けても、前ダボ２０と後ダボ２５とに棚部材３０の側板３１を載置することができる。そして、前ダボ孔１５から高さの異なる中ダボ孔１６までの距離が、側板３１の前後方向の長さの範囲内であれば、前ダボ孔１５に取付けた前ダボ２０と、高さの異なる中ダボ孔１６に取付けた後ダボ２５とに跨って、棚部材３０の側板３１を載置することができる。これにより、互いに高さの異なる前ダボ２０と後ダボ２５とに、側板３１を載置することで、棚部材３０を斜めにした状態で取付けることができる。この際に、棚部材３０を斜めにしても、前ダボ２０のフック２４が側板３１の前方を向いている端面に当接しているため、棚部材３０の前方への脱落を防止することができる。
【００３８】
従って、棚部材３０を斜めに取付けることができることから、斜めにした棚部材３０に、履物２等を載置することによって、履物２等の上面側が前方を向くこととなり、履物２等の全体を前方から見え易いものとすることができる。
【００３９】
このようなことから、ラック本体１０の内部を明るくすることができると共に、内部に収容されている履物２等を見え易いものとすることができるため、シューズラックから所望の履物２を取出したい時に、所望の履物２等を即座に見つけることができる。また、収容されている履物２等が見え易いことから、どのような履物２等を収容しているのかを判り易いものとすることができると共に、棚部材３０を用いて履物２０等を様々な角度や向きで収容させることができるため、履物２等のディスプレイ用の棚としても用いることができる。
【００４０】
以上、本発明について好適な実施形態を挙げて説明したが、本発明は上記の実施形態に限定されるものではなく、本発明の要旨を逸脱しない範囲において、種々の改良及び設計の変更が可能である。なお、以下では、構成が同じ部位については同一の符号を付し、詳細な説明は省略する。
【００４１】
例えば、上記の実施形態では、ラック本体１０として、前側が開放されているものを示したが、これに限定するものではなく、前側に開閉可能な扉を有しているラック本体としても良い。
【符号の説明】
【００４２】
１  シューズラック
２  履物
１０  ラック本体
１１  側壁
１２  底壁
１３  天壁
１４  後壁
１５  前ダボ孔
１６  中ダボ孔
１７  後ダボ孔
２０  前ダボ
２１  ダボ部
２２  基部
２３  載置部
２４  フック
２５  後ダボ
２６  ダボ部
２７  載置部
３０  棚部材
３１  側板
３２  第一シャフト
３３  第二シャフト
３４  溝部
【図１】
2018027167.tif 000003
【図２】
2018027167.tif 000004
【図３】
2018027167.tif 000005
【図４】
2018027167.tif 000006
【図５】
2018027167.tif 000007